(57)【要約】【課題】建具枠等の一般的な改装工法として被せ工法や撤去工法があるが、開口寸法の減少や撤去に伴う各種の工事公害の発生等と補修費用、作業時間の増加等の難問題が解決しない儘となっている現状である。【解決の手段】其処で本発明は、既存枠を接続代以外の露出部並びに新規金枠等の装着に支障のある中詰め材等の必要最小限を切り剥がし既存枠埋設部を新規金枠等のアンカーとして利用する他、既存枠の接続代と同一開口寸法の新規枠の接続代を重ね合わせ溶接、小螺子等で係止する新規枠は外枠と内枠材とを２分割組立てて、嵌合装置を使用して分割枠材相互を接続係止する事により新規枠を装着し、乾燥モルタル等の中詰め材を新規枠の隙間に充填し改装できる為、各種の工事公害や其に伴う時間と補修費用等の大幅な節減を図った画期的な改装工法を提供する事となった。【選択図】　図１
2004027790.tif 000002
【特許請求の範囲】
【請求項１】
建造物に設置されている既存金枠枠等を改修する方法として、扉と壁床等との境界域に設けられた既存枠の壁床内埋設部と同部境界域に接した新規金枠等との接続代以外の既存枠の露出部全てと新規金枠等の装着に支障ある既存中詰め材等を除去した後、既存枠の開口寸法と合致する新規金枠等端部のシール代底と既存枠の接続代とを重ね合わせ連節係止すれば、既存枠埋設部と既存アンカーを健全な状態の儘利用できる為、安定した新規金枠等の設置が可能であり既存枠周辺壁床等の撤去と補修を必要とせず、工事公害の発生と補修費用等と作業時間の大幅な削減が図れる合理的にして且つ容易に新規金枠等を装着できる事を特徴とした改装用金枠等と装着方法。
【請求項２】
請求項１に記載する既存枠等の除去を周知のディスクサンダーその他の切削機器を使用し、新規金枠等との係止用接続代を残し壁床等との四周に沿い切離した後、油圧機器等を用い同枠を剥ぎ取ると同時に新規金枠等の装着に支障を及ぼす部位の中詰め材等を切削機器類を用い除去し、新規金枠等を前方から所定位置に差し込みシール溝底を接続代とし新旧枠の接続代を重ね合わせ要所を溶接又は小螺子等により連節係止した後シールを設置する他、戸当たりタイト材嵌め込み溝底に注入口を設け空隙部に乾燥モルタル等の中詰め材を注入充填し新規金枠等を設置できる事を特徴とした改装用金枠等と装着方法。
【請求項３】
請求項１、２に記載する新規金枠等の差し込み装着方法として、外枠と内枠に２分割し形成されている新規金枠等の外枠は外側壁床等との取り合い部シール溝底接続代から外面見付けを経て見込みから戸当たりタイト材嵌め込み溝を形成し内側枠の裏面に重なる形態で外側四方を一体として組み立てられた外枠と戸当たりタイト材嵌め込み溝を形成する戸当たり先端部から内面見込み面を経て内面見付け面から内側壁床等との取り合い部のシール溝底の接続代に於いて既存枠の接続代と重なり合う部位迄を内枠として組立て内外枠の接続係止部位に於いて内外の枠板材を相互に狭窄状態とし嵌合する複数の嵌合部品をそれぞれの枠材裏面の要所に配し、溶接接合等により係止し枠板材と嵌合部品を装着し形成された嵌合装置に嵌合する他の枠板材を嵌合部品との隙間に狭窄状態の儘挿入し嵌合装置の板バネを相対する板バネ受け穴に撥ね込み枠板材相互を狭窄状態とした形態のまま接続係止できる事を特徴とした改装金枠等と装着方法。
【請求項４】
請求項３に記載する新規金枠等の装着を枠板材と嵌合部品とにより形成された嵌合装置は枠板材の単数又は複数位置に嵌合部品の枠板材と接する折り曲げ部のみをスポット溶接により固定し、枠板材と嵌合部品間に生じる空隙部を形成する押接板のバネ効果を生み、接続枠板材を狭窄嵌合し嵌合部品の板バネを板バネ受け穴に撥ね込み同受け穴の縁部に板バネ端部が接触押接状態となり挿入部材の引き戻しを受け留め、狭窄状態の儘枠板材を新規枠内部に於いて、ワンタッチで接続係止できる事を特徴とした改装金枠等と装着方法。
【発明の詳細な説明】
【０００１】
【発明の属する技術的分野】本発明は、主として既存枠等の改修工法とし従来行われている各種の撤去工法等の決定的な欠点である撤去に伴う周辺壁等の欠損と補修を全く必要としない改装用金枠等の形成形態とその装着方法に関する、
【０００２】既存枠と壁床等との境界域で新規枠と接する部位を接続代として使用する他の全ての露出部分と新規枠等の建て込みに必要なクリアランスの確保に支障を及ぼす中詰め材等のみの切除を行なったうえ、
【０００３】既存枠と同一開口寸法の新規枠等を外枠と内枠に分割成形した四方枠に組み立て、先ず外枠を所定位置に配し四周の新旧接続代又は、新たに装着したアンカープレー等の所定位置に於いて溶接又は小螺子留めとし係止した後、内枠を嵌め込み同様手順により連節係止して新規金枠等に改装するが、
【０００４】新規枠等の建て込みは枠板材と嵌合部品とで形成された嵌合装置は単数又は、複数の所定位置に嵌合部品をスポット溶接等を用いて固定し、枠板材と嵌合部品間に生じた空隙部に押接状態の儘狭窄嵌合し嵌合部品の板バネを板バネ受け穴に撥ね込み、板バネ縁と板バネ受け穴縁とを押接状態とし挿入した板材の引き戻しを受け留めると同時に枠板材を接続部品等を使用せず、微少な空隙を利用して押接し装着する新規枠等の裏側に於いて、外部からは一切手を触れる事なく新規枠等を容易に連節係止できる新規な装着方法であり、
【０００５】新規枠等装着後の装着枠の内部と既存壁床等との空隙部に常圧又は、加圧状態で乾燥モルタル等の中詰め材をタイト材嵌め込み溝底に小孔を設け柔軟質チューブ等の注入器具を枠内部に挿入し乾燥モルタル及び適量の清水の注入を行いつつ凝結を促し、練りモルタル等では不可能な微小空隙迄を充填する事が可能であり、充填完了後注入小孔をシーリング材等により封孔する。
【０００６】
【従来の技術】コンクリート建造物等に設置されている建具枠等の現状開口寸法を確保する為等に行う既存建具枠等を撤去する場合の一般的な方法として、周知の油圧機器やディスクサンダー及びコンクリート破砕機等を用いて夥しい騒音、振動、粉塵等を伴う方法により既存枠を撤去し新規枠を設置するが、撤去跡の補修に多くの時間と経費を費やすうえ、使用者等に多くの経済的、精神的な負担を強いている他、
【０００７】既存枠を残した儘新規枠材を被せる工法等が行われているが、当該工法の決定的欠点として既存の開口寸法よりかなり狭くなるうえ、小螺子頭が枠材表面に表れ外見上見苦しく、現状では満足できる工法は見当たらない。
【０００８】
【発明が解決しようとする課題】本発明は、既存枠Ａの改修を開口寸法を減少させず周辺壁床等イ、ロ、ハ、ニの撤去に伴う工事公害や補修費用と作業時間等の大幅な削減と改善を図る事を目的とした工法で既存枠Ａの露出部分Ａ１のみと既存中詰め材Ｄの新規金枠等Ｂの装着に支障ある部位のみを除去し、既存枠Ａと同一開口寸法の新規金枠等Ｂを既存枠Ａの埋設部Ａ２と一体の接続代Ａ２１に接続係止すれば開口寸法が減少せずに新規金枠等Ｂの改装が行える工法として、
【０００９】既存枠Ａの埋設部Ａ２と接続代Ａ２１以外の露出部Ａ１の全てを切離し除去して、埋設部Ａ２と接続代Ａ２１を新規金枠等Ｂの連節係止に利用するが、通常は壁床等イ、ロ、ハ、ニに埋設されている既存枠Ａの埋設部Ａ２は中詰め材Ｄ等で密閉状態となっている為、ほぼ健全な状態であり将来に亘り充分使用に耐えられるほか、下枠等が雨水の浸透で腐食が進んでいる場合を除き当該部位をその儘利用すれば改めて位置出し等を行なわず装着作業が簡易化されるうえ、周辺壁床等イ、ロ、ハ、ニに触れる事なく既存枠Ａと同一寸法の新規金枠等Ｂの装着を既存枠Ａと同位置に合理的に安定した状態で改装できる。
【００１０】前記の如く、既存枠Ａ接続に用いる部位以外の露出部Ａ１の全てを切除し、接続代Ａ２１と新規金枠等Ｂとの四周を重ね合わせ溶接又は小螺子等Ｂ１２１により構造耐力上有効に装着すれば既存枠Ａ定着強度をその儘利用できる上、埋設部Ａ２の撤去を行わない為、撤去に伴う工事公害等の発生や其に伴う補修工事を必要とせず作業時間の短縮及び工事費用の大幅な削減を図った現存する他の工法とは全く異なる着想によるものであり、其による経済効果と住環境の保全を考慮した新規な工法を提供するものである。
【００１１】新規金枠等Ｂは四周を組み立てた外枠１と戸当たりタイト材嵌め込み溝Ｂ１１２背後の内枠Ｂ２に分割可能に形成し現場組立てに先立ち外枠Ｂ１と内枠Ｂ２を一旦分割し、先ず既存枠Ａの接続代Ａ２１に外枠Ｂ１の端部に設けた接続代Ｂ１２を重ね合わせ溶接又は、小螺子Ｂ１２１等により接続係止した後、外枠板Ｂ１４、内枠板Ｂ２５及び下地板Ｃ３等と複数の嵌合部品Ｃ１とを組合せた嵌合装置Ｃの隙間に所定材料相互を押接状態で挿入し、板バネＣ１１を受け穴Ｃ２に所定材料相互を装着し板バネＣ２外縁を板バネ受け穴Ｃ３に撥ね込み同穴縁で押接状態として板材を拘束し内外枠を一体化すると同時に内枠Ｂ２の内側端部に於いて接続代Ｂ２４を前記に準じ接続係止する他、既存枠Ａの全体又は、一部を撤去した場合は新規金枠等Ｂの装着に必要な碇着強度を有する複数のアンカープレートＦを所定位置に装着し、新規内外枠Ｂ１、Ｂ２端部の接続代Ｂ１２、Ｂ２４を前記に準じ接続係止すれば、既存枠Ａと同一開口寸法の新規金枠等Ｂを容易に装着する事ができる。
【００１２】新規内外枠Ｂ１、Ｂ２端部の接続代Ｂ１２、Ｂ２４により形成された周辺壁床等イ、ロ、ハ、ニに接する内外のシール代Ｅ１に新規内外枠Ｂ１、Ｂ２との防水等と馴染みを良くする為のシールを設置すると共に、新規金枠等Ｂの裏側空隙部に乾燥モルタルを適量の清水と共に注入すれば微少な空隙部にも隈なく充填できるうえ、新規金枠等Ｂの長期に亘る使用に効果的に作用する。
【００１３】
【課題を解決するための手段】上記課題に沿って本発明は、改装に鑑み既存枠Ａの撤去を必要最小限にとどめる方法として既存枠Ａの埋設部Ａ２と接続代Ａ２１を残し、新規金枠等Ｂの装着に支障を及ぼす全ての露出部Ａ１と中詰め材Ｄのみを除去し、既存枠Ａと同一開口寸法の新規金枠等Ｂを接続代Ａ２１を介し埋設部Ａ２と連節係止すれば新規金枠等Ｂの係止を容易に行えると共に改装に伴う不必要な周辺壁床等イ、ロ、ハ、ニの撤去を行わずに済み、撤去に伴い発生する工事公害や補修費用と作業時間等の根本的な改善が図れる。
【００１４】先ず、新規金枠等Ｂの装着に支障を及ぼす既存枠Ａの露出部Ａ１と中詰め材Ｄの撤去は粉塵等の吸引装置付のディスクサンダー等を使用し、これらの除去部位を切り剥がし、改装する新規金枠等Ｂの装着に必要な接続代Ａ２１と埋設部Ａ２のみを残し、
【００１５】次に、既存枠Ａと同一開口寸法に製造された新規金枠等Ｂは外枠Ｂ１と内枠Ｂ２に分割可能に組立てられ、外枠Ｂ１を外側前方から所定位置に差し込み、既存枠Ａの外側接続代Ａ２１と新規金枠等Ｂ端部の接続代Ｂ１２とを重ね合わせ接続係止した後、次に一旦分割した内枠Ｂ２を外枠Ｂ１の戸当たりタイト材嵌め込み溝Ｂ１３を形成し、更に内枠見込み面Ｂ２２の裏側に沿い擦り合い延伸し、内枠Ｂ２に装着した複数の嵌合装置Ｃと押接係止し、内枠Ｂ２端部の接続代Ｂ２４を既存枠Ａの内側接続代Ａ２１と重ね合わせ所定の溶接又は、小螺子Ｂ１２１等により連節係止し、
【００１６】新規に装着する外枠Ｂ１は周辺壁床等イ、ロ、ハ、ニに接するシール代底Ｅ２で既存枠Ａの埋設部Ａ２と四周で重なり合い接続係止する外枠接続部Ｂ１２からシール代Ｅ１を形成する形態で折り曲げ外側見付け面Ｂ１１を経て外側見込み面Ｂ１１１に折れ込み、戸当たりタイト材嵌め込み溝底Ｂ１１２に至り、同溝Ｂ１３を形成し更に内枠Ｂ２の裏面に延伸した外枠先端部Ｂ１１３は内枠Ｂ２の裏面に沿い擦り合う形態で内枠Ｂ２の裏面に於いて内枠Ｂ２に装着した複数の嵌合装置Ｃを使用し内枠Ｂ２に押接係止し、
【００１７】内枠Ｂ２は外枠Ｂ１を押接係止した後に内側既存枠Ａの接続代Ａ２１と内側周辺壁床等ロ、ニに接するシール代底Ｅ２で新規金枠等Ｂの内枠接続部Ｂ２４からシール代Ｅ１を経て内側見付け面Ｂ２１と見込み面Ｂ２２を折り曲げ内枠Ｂ２を形成し、見込み面Ｂ２２先端部は板材を折り曲げ潰した戸当たり先端部Ｂ２３を設ける一方、新規内外枠等Ｂ１、Ｂ２を一体化して新規金枠等Ｂを形成する。
【００１８】その他の下地材Ｂ３も前記同様接続代Ａ２１等に溶接又は、小螺子留めＢ１２１した後、嵌合装置Ｃを用いて所定位置に装着する事ができる。
【００１９】組み立てた新規外枠Ｂ１は既存枠Ａの接続代Ａ２１の四周に於いて新旧枠を重ね合わせ要所を溶接接合又は、小螺子留めＢ１２１等により連節係止するが同外枠Ｂ１と下地材Ｃは嵌合部品Ｃ１、板バネ状部Ｃ２、板バネ受け穴Ｃ３を組合せ装着形態に合わせ装着し、それぞれの板材相互を押接状態とし嵌め合わせ外枠Ｂ１と内枠Ｂ２を接続組合せて新規金枠等Ｂを組立て形成する。
【００２０】組立て終了後、内外周辺壁床等イ、ロ、ハ、ニと新規枠Ｂに接するシール代Ｅ１に所定のシールＥを注入し新規金枠等Ｂの改装を行う。
【００２１】一部の工法を除き練りモルタル、セメントスラリー、乾燥モルタル等の新規中詰め材Ｃ２を状況に応じ選定し、戸当たりタイト材嵌め込み溝底Ｂ１１２を利用し、前記諸材料を注入し空隙部を密実に充填する。
【００２２】
【発明実施の形態】以下図面に従って本発明を具体的に説明すれば、図１は一組の既存枠Ａと新規金枠等Ｂを外部から内部を表現し四分割して撤去から装着までの全体的な形態を順を追って判りやすく表現した斜視図で向かって左下部は既存枠Ａの形態と同上部は既存枠Ａの接続代Ａ２１を残し露出部Ａ１と撤去跡Ａ１１を点線で示し、
【００２３】右側上部は前記既存枠Ａの接続代Ａ２１に新規金枠Ｂの外枠接続部Ｂ１２を介して装着した形態と下部は新規枠Ｂを装着完了した斜視図で、
【００２４】図２は図１により示した既存枠Ａの接続代Ａ２１を残し露出部Ａ１を撤去した後の形態を示し、既存枠Ａの撤去跡Ａ１１と中詰め材撤去跡Ｄ１を点線で表現した断面図である。
【００２５】図３は図２により表現された既存枠Ａの接続代Ａ２１を利用し外枠Ｂ１及び、内枠材Ｂ２により形成された新規金枠等Ｂを下地材Ｂ３と嵌合装置Ｃの嵌合部品Ｃ１の押接板Ｃ１１１と板バネＣ２及び受け穴Ｃ３と更に新規中詰め材Ｄ２を充填し更にシールＥを装着した形態を示す新規金枠等Ｂの断面図。
【００２６】図４は新規金枠等Ｂと下地材Ｃ３と更に嵌合装置Ｃ等の配置の一例を示す裏側からの斜視図であり、先ず左側手前から既存枠Ａの接続代Ａ２１に接続する外枠接続代Ｂ１２を含む外側のシール代Ｅ１から始まり見付け面Ｂ１１の表側折れ曲がって見込み面Ｂ１１１の裏側から外側に曲がり戸当たりタイト材嵌め込み溝底Ｂ１１２に至り内枠Ｂ２の戸当たり先端部Ｂ２３から同見込み面Ｂ２２の裏側と同面に於いて接続する戸当たりタイト材嵌め込み溝底Ｂ１１２から内枠見込み面Ｂ２２の裏側に沿い重なり延伸する外枠板Ｂ１４の裏面と内枠見付け面Ｂ２１の裏側から更に内側シール代Ｅ１に至る新規金枠等Ｂの形成形態の裏側と下地材Ｂ３等を示すと同時に嵌合装置Ｃ等の一連の配置を裏面から表現した斜視図である。
【００２７】図５は嵌合装置Ｃの左側は枠板材Ｂ１、２、３の板バネＣ１１３の形態と嵌合部品Ｃ１の受け穴Ｃ３に撥ね込まれ押接された状態の想定平面を点線で示し、右側は嵌合部品Ｃ１の受け穴Ｃ３、板バネ効果を考慮した折り曲げ板Ｃ１１えのスポット溶接位置を示す平面と、更に同図下部の左右の断面は枠板材Ｂ１、２、３の板バネＣ１１が嵌合部品Ｃ１の受け穴Ｃ３に撥ね込まれ押接された状態の断面図である。
【００２８】図６は図５の嵌合装置Ｃの嵌合部品Ｃ１の板バネＣ１１が枠板材Ｂ１、２、３の受け穴Ｃ２に撥ね込まれ押接された状態の示す平面と断面図である。
【発明の効果】本発明は、劣化した既存枠の改装を周辺壁床等の撤去を行う事なく同一開口寸法の新規金枠を装着する工法であり、新規金枠等を外枠と内枠に分割した形態として組立て、先ず外枠を次に内枠を複数の嵌合装置を使用して押接接続し新規金枠等を組み建て、既存枠との接続は既存枠の接続代以外の露出部並びに新規金枠等の差し込みに支障ある既存中詰め材等の必要最小限を切除し、既存接続代と新規枠の接続代と重ね合わせ溶接接合又は、小螺子留め等により四周を連節係止すれば、既存枠をアンカーとして利用できるばかりではなく周辺壁床等を損傷せず、装着した新規枠との隙間には戸当たりタイト材嵌め込み溝底を利用して乾燥モルタル等の中詰め材を注入する事により微小な空隙部迄も隈なく充填して改装を済ませ、各種の工事公害等の発生を抑え、撤去や補修工事に要する費用や作業時間の大幅な削減が図れる新規な改装工法を提供できる。
【図面の簡単な説明】
【図１】既存並びに新規金枠等の改装手順を纏めた外観斜視図。
【図２】既存枠の埋設部分と接続代を残した撤去部分を示す断面図。
【図３】既存枠の埋設部分と接続代並びに新規金枠等の外枠と内枠と更に下地材と嵌合装置等の装着状態を示す断面図。
【図４】新規金枠等及び下地材、嵌合装置等の配置と装着状態を裏面から表現した斜視図である。
【図５】外枠、内枠、下地材と嵌合装置の受け穴の装着状態を示す平面と断面図である。
【図６】外枠、内枠、下地材と嵌合装置の板バネの装着状態を示す平面と断面図である。
【符号の説明】
イ　　　　外壁
ロ　　　　内壁
ハ　　　　外床
ニ　　　　内床
Ａ　　　　既存枠
Ａ１　　　　〃　露出部
Ａ１１　　　〃　撤去跡
Ａ２　　　　〃　埋設部
Ａ２１　　　〃　接続代
Ｂ　　　　新規金枠等
Ｂ１　　　　〃　外枠
Ｂ１１　　　〃　〃　見付け面
Ｂ１１１　　〃　〃　見込み面
Ｂ１１２　　〃　〃　戸当たりタイト材嵌め込み溝底
Ｂ１１３　　〃　〃　先端部
Ｂ１２　　　〃　〃　接続代
Ｂ１２１　　〃　溶接又は、ネジ留め
Ｂ１３　　　〃　戸当たりタイト材嵌め込み溝
Ｂ１４　　　〃　外枠板
Ｂ２　　　　〃　内枠
Ｂ２１　　　〃　〃　見付け面
Ｂ２２　　　〃　〃　見込み面
Ｂ２３　　　〃　〃　戸当たり先端部
Ｂ２４　　　〃　〃　接続代
Ｂ２５　　　〃　　内枠板
Ｂ３　　　下地材
Ｃ　　　　嵌合装置
Ｃ１　　　嵌合部品
Ｃ１１　　　〃　折り曲げ板
Ｃ１１１　　〃　押接板
Ｃ２　　　　〃　板バネ
Ｃ３　　　　〃　受け穴
Ｄ　　　　既存中詰め材
Ｄ１　　　　　〃　　　撤去跡（点線）
Ｄ２　　　新規中詰め材
Ｅ　　　　シール
Ｅ１　　　　〃　代
Ｅ２　　　　〃　代底
Ｆ　　　　アンカープレート
Ｆ１　　　彫り込みアンカー，ケミカルアンカー
Ｆ２　　　ボルトナット
【図１】
2004027790.tif 000003
【図２】
2004027790.tif 000004
【図３】
2004027790.tif 000005
【図４】
2004027790.tif 000006
【図５】
2004027790.tif 000007
【図６】
2004027790.tif 000008